(57)【要約】【課題】作業が容易であって作業時間の短縮が可能となる塗膜防水材の供給装置および塗膜防水材の供給方法を提供する。【解決手段】一液型塗膜防水材を供給する供給管路と、供給管路を通して前記一液型塗膜防水材を送出する供給ポンプ２と、を備える。前記供給管路は、流路の断面積が減少するように弾性的に圧縮変形可能な送出管部１４を有し、供給ポンプ２は、送出管部１４を押圧して弾性的に圧縮変形させる押圧部２１と、押圧部２１を駆動する駆動部と、を有する。前記駆動部は、押圧部２１を送出管部１４の長さ方向に移動させることによって送出管部１４内の一液型塗膜防水材を送出する。【選択図】図２
2020012256.tif 000002
【特許請求の範囲】
【請求項１】
一液型塗膜防水材を供給する供給管路と、
前記供給管路を通して前記一液型塗膜防水材を送出する供給ポンプと、を備え、
前記供給管路は、流路の断面積が減少するように弾性的に圧縮変形可能な送出管部を有し、
前記供給ポンプは、前記送出管部を押圧して弾性的に圧縮変形させる押圧部と、前記押圧部を駆動する駆動部と、を有し、
前記駆動部は、前記押圧部を前記送出管部の長さ方向に移動させることによって前記送出管部内の前記一液型塗膜防水材を送出する、一液型塗膜防水材の供給装置。
【請求項２】
前記駆動部は、駆動軸を有する駆動部本体と、
前記駆動部本体によって、前記駆動軸を中心として前記押圧部を回転移動させる支持体と、を有し、
前記支持体は、前記押圧部を回転移動させることによって前記送出管部の長さ方向に移動させる、請求項１記載の一液型塗膜防水材の供給装置。
【請求項３】
少なくとも一部が円弧状に湾曲した内周面を有する外周壁部をさらに備え、
前記送出管部は、前記内周面に沿って配置され、
前記押圧部は、前記送出管部を前記外周壁部に押し当てることで圧縮変形させる、請求項２記載の一液型塗膜防水材の供給装置。
【請求項４】
一液型塗膜防水材を供給する供給管路と、前記供給管路を通して前記一液型塗膜防水材を送出する供給ポンプと、を用い、
前記供給管路は、流路の断面積が減少するように弾性的に圧縮変形可能な送出管部を有し、
前記供給ポンプは、前記送出管部を押圧して弾性的に圧縮変形させる押圧部と、前記押圧部を駆動する駆動部と、を有し、
前記駆動部によって、前記押圧部を前記送出管部の長さ方向に移動させることによって前記送出管部内の前記一液型塗膜防水材を送出して被供給面に供給する、一液型塗膜防水材の供給方法。
【発明の詳細な説明】
【技術分野】
【０００１】
本発明は、一液型塗膜防水材の供給装置および供給方法に関する。
【背景技術】
【０００２】
建造物の屋上、ベランダ、橋梁などの防水工事においては、ポリウレタン樹脂などで構成される一液型塗膜防水材（液状防水材）を被施工面に供給し、塗り広げることによって防水塗膜を形成する（例えば、特許文献１を参照）。一液型塗膜防水材は、例えば、容器（例えば容積１８リットルの缶）に充てんされた状態で施工場所（例えば建造物の屋上）に荷揚げした後、容器から出して被施工面に供給される。作業後、空の容器は荷卸しされて廃棄される。
【先行技術文献】
【特許文献】
【０００３】
【特許文献１】特開２００１−２８８８７１号公報
【発明の概要】
【発明が解決しようとする課題】
【０００４】
しかしながら、防水工事においては、施工場所への容器の荷揚げ、および施工場所からの空の容器の荷卸しなどに多大な労力および時間を要するという問題があった。
【０００５】
本発明の一態様は、作業が容易であって、作業時間の短縮が可能となる一液型塗膜防水材の供給装置および塗膜防水材の供給方法を提供することを目的のひとつとする。
【課題を解決するための手段】
【０００６】
本発明の一態様は、一液型塗膜防水材を供給する供給管路と、前記供給管路を通して前記一液型塗膜防水材を送出する供給ポンプと、を備え、前記供給管路は、流路の断面積が減少するように弾性的に圧縮変形可能な送出管部を有し、前記供給ポンプは、前記送出管部を押圧して弾性的に圧縮変形させる押圧部と、前記押圧部を駆動する駆動部と、を有し、前記駆動部は、前記押圧部を前記送出管部の長さ方向に移動させることによって前記送出管部内の前記一液型塗膜防水材を送出する、一液型塗膜防水材の供給装置を提供する。
【０００７】
前記駆動部は、駆動軸を有する駆動部本体と、前記駆動部本体によって、前記駆動軸を中心として前記押圧部を回転移動させる支持体と、を有し、前記支持体は、前記押圧部を回転移動させることによって前記送出管部の長さ方向に移動させることが好ましい。
【０００８】
前記液状防水材の供給装置は、少なくとも一部が円弧状に湾曲した内周面を有する外周壁部をさらに備え、前記送出管部は、前記内周面に沿って配置され、前記押圧部は、前記送出管部を前記外周壁部に押し当てることで圧縮変形させることが好ましい。
【０００９】
本発明の他の態様は、一液型塗膜防水材を供給する供給管路と、前記供給管路を通して前記一液型塗膜防水材を送出する供給ポンプと、を用い、前記供給管路は、流路の断面積が減少するように弾性的に圧縮変形可能な送出管部を有し、前記供給ポンプは、前記送出管部を押圧して弾性的に圧縮変形させる押圧部と、前記押圧部を駆動する駆動部と、を有し、前記駆動部によって、前記押圧部を前記送出管部の長さ方向に移動させることによって前記送出管部内の前記一液型塗膜防水材を送出して被供給面に供給する、一液型塗膜防水材の供給方法を提供する。
【発明の効果】
【００１０】
本発明の一態様によれば、塗膜防水材の供給に要する作業が容易であり、作業時間の短縮が可能となる。
【図面の簡単な説明】
【００１１】
【図１】第１実施形態の一液型塗膜防水材の供給装置を示す概略図である。
【図２】図１の供給装置の供給ポンプを示す正面図である。
【図３】図１の供給装置の供給ポンプを示す側面図である。
【図４】図１の供給装置の供給ポンプの動作を示す説明図である。
【図５】図１の供給装置の供給管路の動作を示す説明図である。
【図６】図１の供給装置の使用例を示す説明図である。
【図７】図１の供給装置の使用例を示す説明図である。
【図８】第２実施形態の一液型塗膜防水材の供給装置を示す概略図である。
【発明を実施するための形態】
【００１２】
［一液型塗膜防水材の供給装置］（第１実施形態）
図１は、第１実施形態の一液型塗膜防水材の供給装置１０（以下、単に供給装置１０という）を示す概略図である。図２は、供給装置１０の供給ポンプ２を示す正面図である。図３は、供給ポンプ２を示す側面図である。図４は、供給ポンプ２の動作を示す説明図である。図５は、供給管路１の動作を示す説明図であって、供給管路１の長さ方向に直交する断面を示す図である。
【００１３】
図１に示すように、供給装置１０は、供給管路１と、供給ポンプ２と、吐出部３とを備える。
供給管路１は、吸入管１２と、導入管部１３と、送出管部１４（図２参照）と、導出管部１５とを備える。供給管路１は、貯留容器１１から供給された塗膜防水材Ｌ（液状防水材）を吐出部３を通して被施工面に供給する。
【００１４】
吸入管１２は、直管状の管路であり、例えば、樹脂、金属などで構成される。吸入管１２は、非可撓性であってよい。吸入管１２は、貯留容器１１に挿入され、貯留容器１１内の塗膜防水材Ｌを取り出し、導入管部１３に導く。吸入管１２は、可撓性の管であってもよい。
【００１５】
導入管部１３は、樹脂などで構成され、吸入管１２の先端に接続されている。導入管部１３は、可撓性を有し、曲げ変形可能である。図２に示すように、導入管部１３は、接続部１７を介して送出管部１４に接続されている。導入管部１３は、吸入管１２から導入された塗膜防水材Ｌ（図１参照）を送出管部１４に導く。
【００１６】
図２に示すように、送出管部１４は、例えば、樹脂などで構成された管路である。図５に示すように、送出管部１４は、流路１６の断面積（送出管部１４の長さ方向に直交する断面の面積）が減少するように弾性的に圧縮変形可能である。例えば、径方向に押圧する力が加えられたときに、送出管部１４は、流路１６の断面形状（送出管部１４の長さ方向に直交する断面の形状）が通常形状１６ａから閉塞形状１６ｂとなるように弾性的に変形することができる。通常形状１６ａは円形状である。閉塞形状１６ｂは、送出管部１４が押し潰されて内周面どうしが密着し、流路１６が閉塞する形状である。押圧が解除されれば、送出管部１４の弾性力によって、流路１６は通常形状１６ａに戻る。送出管部１４は、可撓性を有し、曲げ変形可能である。図２に示すように、送出管部１４は、供給ポンプ２の外周壁部３０の内周面３０ａに沿って配置される。
【００１７】
図１に示すように、導出管部１５は、樹脂などで構成され、接続部１８を介して送出管部１４（図２参照）の先端に接続されている。導出管部１５は、可撓性を有し、曲げ変形可能である。導出管部１５は、送出管部１４から導入された塗膜防水材Ｌを吐出部３に導く。
【００１８】
導入管部１３および導出管部１５としては、１０Ａ〜１００Ａの管を用いることができる。導出管部１５の長さは、例えば５〜６０ｍが望ましい。導出管部１５の最高使用圧力は、例えば０．１ＭＰａ以上が望ましい。
【００１９】
図２に示すように、供給ポンプ２は、押圧ローラ２１（押圧部）と、駆動部２２（図３参照）と、ケーシング２３とを備える。
駆動部２２は、駆動部本体２５（図３参照）と、支持体２６とを備える。駆動部本体２５は、例えばモータ等の駆動手段（図示略）と、駆動軸２７とを有する。駆動部本体２５としては、例えば出力０．７５ｋＷ〜５ｋＷのモータが使用できる。駆動軸２７は、例えば、ギヤ（図示略）を介してモータ等の駆動手段（図示略）と接続される。供給ポンプ２による塗膜防水材の送液量は、３〜６０ｋｇ／ｍｉｎが望ましい。
【００２０】
支持体２６は、中央部３１と、１または複数のアーム部３２と、支持軸部３３とを備える。中央部３１は、例えば、中心軸が駆動軸２７と一致する円柱状とされている。中央部３１は、駆動軸２７に固定されている。複数（本実施形態では３つ）のアーム部３２は、中央部３１の外周面から中央部３１の径方向外方に延出している。３つのアーム部３２は、駆動軸２７を中心軸とする回転対称（３回対称）となる位置に形成されている。支持軸部３３は、アーム部３２の先端部に形成されている。支持軸部３３は、駆動軸２７と平行である。支持体２６は、駆動部本体２５によって、駆動軸２７の軸周り方向に回転することによって、押圧ローラ２１を、駆動軸２７を中心として回転移動させる。
【００２１】
押圧ローラ２１は、支持軸部３３に回転自在に支持されている。押圧ローラ２１は、送出管部１４を外方に押圧し、外周壁部３０に押し当てることで弾性的に圧縮変形させる。押圧ローラ２１は、支持体２６の回転によって、送出管部１４を押圧しつつ送出管部１４の長さ方向に転動する。供給ポンプ２は、押圧ローラ２１を送出管部１４の長さ方向に移動させることによって塗膜防水材を送出するポンプであり、いわゆるチューブポンプである。
【００２２】
ケーシング２３は、主部２８（図３参照）と、外周壁部３０とを有する。主部２８は、基板部２９を有する。基板部２９は、厚さ方向から見て円形状とされている。外周壁部３０は、基板部２９の周縁の一部から、基板部２９に対して垂直に立設されている。外周壁部３０は、駆動軸２７と平行な内周面３０ａを有する。内周面３０ａは、駆動軸２７と平行に見て円弧状とされている。なお、内周面３０ａは、全部が円弧状でなくてもよく、一部のみが円弧状であってもよい。
【００２３】
図１に示すように、吐出部３は、導出管部１５の先端に設けられた吐出ノズルである。吐出部３は、導出管部１５から導入された塗膜防水材Ｌを、吐出口（図示略）を通して被施工面に供給する。
【００２４】
［一液型塗膜防水材の供給方法］（第１実施形態）
図６および図７は、供給装置１０の使用例を示す説明図である。以下、供給装置１０を用いて塗膜防水材を被施工面に供給する方法を含む防水施工方法を説明する。
【００２５】
（第１工程：一液型塗膜防水材の供給）
図６に示すように、本実施形態の供給方法では、建造物５０の屋上５１の床面５１ａ（図７参照）を被施工面とする。建造物５０は、例えば、複数階を有する建造物である。床面５１ａは、地上５２よりも高所にある。供給ポンプ２は、地上５２に置かれた車両５３に搭載されている。供給管路１の導出管部１５は供給ポンプ２から建造物５０の屋上５１に向かって延び、図７に示すように、吐出部３は屋上５１に達している。
なお、被施工面は、屋上５１におけるパラペット部５４に囲まれた平場面に限らず、平場面およびパラペット部５４の内面（立ち上がり面）を含む面であってもよい。被施工面としては、このほか、ベランダ、橋梁などが挙げられる。
【００２６】
一液型塗膜防水材は、例えば、ポリウレタン樹脂などで構成される。一液型塗膜防水材としては、その他、アクリルエマルジョン・水系アクリルゴム、水系ゴムアスファルト系などを用いてもよい。一液型（湿気硬化型）のポリウレタン樹脂は、例えば、ポリイソシアネートとポリオールとを含む。ポリイソシアネートとしては、例えばジフェニルメタン−４，４’−ジイソシアネート（ＭＤＩ）、カルボジイミド変性ジフェニルメタンジイソシアネート（液状ＭＤＩ）、ポリメチレンポリフェニルイソシアネート（粗製ＭＤＩ）、２，４−トリレンジイソシアネート（２，４−ＴＤＩ）、２，６−トリレンジイソシアネート（２，６−ＴＤＩ）、キシリレンジイソシアネート（ＸＤＩ）、ヘキサメチレンジイソシアネート、３−イソシアナトメチル−３，５，５−トリメチルシクロヘキシルイソシアネート（ＩＰＤＩ）等の低分子量イソシアネート化合物が挙げられる。ポリオールとしては、水酸基を２以上持つものであれば特に限定されないが、例えばポリエーテルポリオール、ポリエステルポリオール、ポリテトラメチレングリコール等が挙げられる。
【００２７】
一液型ウレタン塗膜防水材は、溶剤、可塑剤、硬化触媒、充填材、酸化防止剤、難燃剤、安定剤、紫外線吸収剤、界面活性剤、着色顔料等の添加剤を含んでいてもよい。なお、一液型塗膜防水材は、ポリウレタン樹脂以外の樹脂を含んでいてもよい。
一液型塗膜防水材を貯留する貯留容器１１は、例えば、容積２００リットルのドラム缶、容積１ｍ３のコンテナタンクなどである。
【００２８】
図２および図４に示すように、押圧ローラ２１は、送出管部１４を外周壁部３０に押し当てることで弾性的に圧縮変形させる。図５に示すように、押圧ローラ２１に押圧されることによって、送出管部１４の流路１６が通常形状１６ａ（円形）から閉塞形状１６ｂとなる。
【００２９】
図２および図４に示すように、供給ポンプ２の駆動部本体２５を稼働し、支持体２６を駆動軸２７の周りに回転移動させる。押圧ローラ２１は、支持体２６の回転によって、送出管部１４を押圧しつつ送出管部１４の長さ方向に転動する。これによって、閉塞部位が送出管部１４の長さ方向に移動するため、送出管部１４内の塗膜防水材は、図４に示す矢印の方向に送出され、導出管部１５に導かれる。
【００３０】
押圧ローラ２１が通り過ぎると、送出管部１４の流路１６は通常形状１６ａに戻るため（図５参照）、送出管部１４の基端側の管路（吸入管１２および導入管部１３）（図１参照）の内部は負圧となる。そのため、貯留容器１１（図１参照）内の塗膜防水材は吸入管１２に吸引され、導入管部１３を経て送出管部１４に導かれる。
【００３１】
図６に示すように、供給ポンプ２によって送出された塗膜防水材は、導出管部１５を通って吐出部３に達し、吐出口（図示略）を通して屋上５１の床面５１ａ（被施工面）に供給される。図７に示すように、作業者１００は、吐出部３を操作して床面５１ａのうち必要な箇所に塗膜防水材を供給する。
【００３２】
施工場所である屋上５１には、一時貯留のための容器２０（図７参照）を用意しておいてもよい。この場合、吐出部３から吐出された塗膜防水材を、床面５１ａに供給する前に容器２０に移し、容器２０から床面５１ａに供給することができる。
１つの貯留容器１１（図６参照）内の塗膜防水材をすべて屋上５１の床面５１ａ（図７参照）に供給することによってその貯留容器１１が空になったら、新たな貯留容器１１を開栓し、この貯留容器１１に吸入管１２（図１参照）を移し替えることによって塗膜防水材の供給を継続することができる。
【００３３】
（第２工程：塗膜防水材の塗布）
一液型塗膜防水材を、塗工器具（例えば、コテ、ローラー、レーキ等）を用いて床面５１ａに塗り広げる。
【００３４】
（第３工程：防水塗膜の形成）
塗り広げた一液型塗膜防水材を硬化させることによって、防水塗膜とする。
【００３５】
（その他の工程）
床面５１ａ（被施工面）への一液型塗膜防水材の供給作業終了後には、図２に示す供給ポンプ２の支持体２６を、供給時とは逆に回転させる。これにより、送出管部１４内が負圧となり、導出管部１５内に残っている一液型塗膜防水材は逆流し、送出管部１４、導入管部１３、吸入管１２を経て貯留容器１１に返送される。これにより、供給管路１内の塗膜防水材の残留量を少なくできる。
【００３６】
供給管路１内に溶剤等を流すことによって、供給管路１内を洗浄することができる。
【００３７】
［第１実施形態によって得られる効果］
本実施形態の供給装置１０は、押圧ローラ２１を送出管部１４の長さ方向に移動させることによって塗膜防水材を送出する供給ポンプ２（いわゆるチューブポンプ）を備えるため、供給管路１を通して塗膜防水材を屋上５１に供給できる。そのため、塗膜防水材入りの容器を建造物５０の屋上５１にまで荷揚げする必要がない。作業後、空の容器を荷卸しする必要もない。したがって、作業が容易であり、必要な作業者の数を少なくできる。また、作業時間の短縮が可能となる。
【００３８】
供給装置１０では、必要に応じて、供給ポンプ２の稼働／停止（すなわちＯＮ／ＯＦＦ）を制御したり、駆動部本体２５（例えばモータ）の回転数を制御することなどによって、塗膜防水材の供給量を容易に調整できる。そのため、作業に応じて適切な量の塗膜防水材を供給することができる。例えば、一液型塗膜防水材の送液量は、３〜６０ｋｇ／ｍｉｎの範囲で任意に選択できる。
【００３９】
供給装置１０は、押圧ローラ２１を送出管部１４の長さ方向に移動させることによって塗膜防水材を送出する供給ポンプ２を備えているため、他の構造のポンプを使用する場合に比べて、装置構成を簡略にできる。そのため、設備コストを抑制できる。
【００４０】
供給装置１０では、供給ポンプ２が前述の構造を有するため、供給管路１に洗浄剤（溶剤等）を流すことによって塗膜防水材を洗い流すことができる。そのため、作業後の洗浄、およびメンテナンスが容易となる。
【００４１】
洗浄の際には、供給管路１内に洗浄体を入れた状態で洗浄剤（溶剤等）を流す方法をとることができる。洗浄体は、圧縮変形可能な弾性体であることが好ましい。洗浄体は、例えば、発泡樹脂（例えば連泡発泡ウレタン）などの多孔質体で構成されている。洗浄体の形状は、球状、円柱状などであってよい。洗浄体は、供給管路１の内面に接した状態で洗浄剤により管路に沿って移動するため、供給管路１の内面の塗膜防水材を効率的に除去することができる。そのため、供給管路１を洗浄する効果が高められる。洗浄体は、未変形状態での外形寸法が供給管路１の内径より大きく、かつ供給管路１内では弾性的に圧縮変形した状態となることが好ましい。これにより、洗浄体は、その弾性力により供給管路１の内面に押し当てられるため、塗膜防水材を除去する効果が高められる。洗浄剤は、吸入管１２側から吐出部３に向けて流してもよいし、逆に、吐出部３から吸入管１２側に流してもよい。供給装置１０は、供給ポンプ２の構造が簡略であるため、このような洗浄方法によって洗浄することができる。
【００４２】
［塗膜防水材の供給装置および供給方法］（第２実施形態）
図８は、第２実施形態の塗膜防水材の供給装置１１０を示す概略図である。以下、第１実施形態との共通構成については、同じ符号を付して説明を省略する。
【００４３】
図８に示すように、供給装置１１０は、供給管路１と、供給ポンプ２と、吐出部３（図１参照）と、発電機１０４と、制御部１０５と、操作部１０６とを備える。発電機１０４は供給ポンプ２に電力を供給し、供給ポンプ２を稼働させる。制御部１０５は、操作部１０６からの信号に基づいて、供給ポンプ２の駆動部本体２５（モータ等）の動作を制御する。制御部１０５は、例えば、供給ポンプ２の稼働／停止（すなわちＯＮ／ＯＦＦ）、駆動部本体２５（例えばモータ）の回転数、駆動部本体２５（例えばモータ）の回転方向などを制御できる。
【００４４】
制御部１０５が供給ポンプ２の稼働／停止（すなわちＯＮ／ＯＦＦ）を制御する場合には、吐出部３における塗膜防水材の供給および停止を制御できる。制御部１０５が供給ポンプ２の駆動部本体２５（例えばモータ）の回転数を制御する場合には、吐出部３における一液性塗膜防水材の供給量を制御できる。制御部１０５が供給ポンプ２の駆動部本体２５（例えばモータ）の回転方向を制御する場合には、一液型塗膜防水材の流れ方向を制御できる。作業者（例えば、図７に示す作業者１００）は、一液型塗膜防水材の供給作業を行う際に、操作部１０６を操作することによって、一液型塗膜防水材の供給量等を調整できる。
供給ポンプ２が稼働しているときには、圧力計１９によって供給管路１内の圧力を確認することができる。
【００４５】
［第２実施形態によって得られる効果］
本実施形態の供給装置１１０は、第１実施形態と同様に、供給ポンプ２（いわゆるチューブポンプ）を備えるため、供給管路１を通して塗膜防水材を屋上５１に供給できる。そのため、塗膜防水材入りの容器の荷揚げ、および空の容器の荷卸しの必要がなく、作業が容易であり、必要な作業者の数を少なくできる。また、作業時間の短縮が可能となる。
【００４６】
供給装置１１０では、供給ポンプ２の稼働／停止（すなわちＯＮ／ＯＦＦ）制御、駆動部本体２５（例えばモータ）の回転数制御などによって、一液型塗膜防水材の供給量を容易に調整できる。そのため、作業に応じて適切な量の一液型塗膜防水材を供給することができる。また、駆動部本体２５（例えばモータ）の回転方向の制御によって、洗浄操作が容易になる。
【実施例】
【００４７】
図１に示す供給装置１０を作製した。供給装置１０を用いて、建造物５０の屋上５１の床面５１ａ（図７参照）を被施工面として、以下の仕様で防水施工を行った。
施工面積：１０００ｍ２
塗膜防水材：（株）ダイフレックス製  一液型ウレタン防水材  エバーコートＺｅｒｏ１−Ｈ
塗膜防水材の使用量：３．９（ｋｇ／ｍ２）×１０００ｍ２＝３，９００ｋｇ
塗膜防水材の容器：実施例では、貯留容器１１として、容積２００リットルのドラム缶を２０個用いた。比較例では、塗膜防水材入り容器として、容積１８リットルの缶を２１６個用いた。
【００４８】
図６に示すように、実施例では、供給装置１０を用いて屋上５１の床面５１ａ（図７参照）に一液型塗膜防水材を供給した。供給ポンプ２は、地上５２に置かれた車両５３に搭載されている。被施工面に供給された一液型塗膜防水材を、塗工器具（例えば、コテ、ローラー、レーキ等）を用いて床面５１ａに塗り広げ、硬化させて防水塗膜を形成した。
【００４９】
比較例では、一液型塗膜防水材入り容器を屋上５１の床面５１ａ（図７参照）に荷揚げし、これらの容器から被施工面に一液型塗膜防水材を供給した。被施工面に供給された一液型塗膜防水材を、実施例と同様にして床面５１ａに塗り広げ、硬化させて防水塗膜を形成した。
【００５０】
実施例および比較例において、作業者の必要性および必要数などを表１に示す。表１において、「荷揚げ」は、地上５２から屋上５１への塗膜防水材入り容器の荷揚げ作業である。「開缶」は塗膜防水材入り容器の開缶作業である。「移液」は塗膜防水材入り容器から一時貯留用の容器へ塗膜防水材を移動させる作業である。「かき取り」は、一液型塗膜防水材入り容器から他の容器へ一液型塗膜防水材を移動させる際に、元の容器に残った一液型塗膜防水材をかき取る作業である。「オペレーター」は、地上５２に待機し、貯留容器１１内の一液型塗膜防水材がなくなったときに、新たな貯留容器１１へ吸入管１２を移し替える作業者である。「汲み出し」は、吐出部３から吐出された一液型塗膜防水材を一時貯留用の容器に定量汲み出す作業である。「塗布」は、一液型塗膜防水材を床面５１ａに塗布する作業である。「缶潰し」は、空の容器を押し潰す作業である。「残缶荷卸し」は、空の容器を地上５２まで荷卸しする作業である。「機械洗浄」は、溶剤を用いて供給装置の内部を洗浄する作業である。
【００５１】
【表１】
2020012256.tif 000003
【００５２】
表１に示すように、実施例では、比較例に比べて工程数が少ないため、作業者の数を少なくでき、かつ作業時間を短くできた。
【００５３】
本発明は上記実施形態に制限されることなく、本発明の範囲内で自由に変更が可能である。例えば、実施形態では、供給ポンプ２に、押圧ローラ２１を駆動軸２７の周りに回転移動させることによって送出管部１４内の塗膜防水材を送出する構成が採用されているが、供給ポンプの構成はこれに限定されない。例えば、駆動部の支持体は、押圧部（押圧ローラ）を送出管部の長さ方向に移動させることによって一液型塗膜防水材を送出することができれば、押圧部（押圧ローラ）を回転移動させる構成に限定されない。例えば、供給ポンプは、押圧部を送出管部に沿って直線的に移動させることで塗膜防水材を送出する構成であってもよい。実施形態の液状防水材の供給装置および供給方法は、二液型の塗膜防水材に適用することもできるが、一液型の塗膜防水材に適用することによって、その特性を十分に発揮する。
【符号の説明】
【００５４】
１  供給管路
２  供給ポンプ
３  吐出部
１４  送出管部
２１  押圧ローラ（押圧部）
２２  駆動部
２５  駆動部本体
３０  外周壁部
３０ａ  内周面
【図１】
2020012256.tif 000004
【図２】
2020012256.tif 000005
【図３】
2020012256.tif 000006
【図４】
2020012256.tif 000007
【図５】
2020012256.tif 000008
【図６】
2020012256.tif 000009
【図７】
2020012256.tif 000010
【図８】
2020012256.tif 000011